(57)【要約】【課題】遊技盤の裏面側に設けられた特定部材が遊技者に視認されてしまうことに起因する不具合を抑制することのできる遊技機を提供する。【解決手段】パチンコ機１は、前面枠３の後側に遊技盤５を備えている。この遊技盤５には、多数の釘が植設されると共に、普通入賞チャッカー１１、可変入賞装置１２、作動チャッカー１３、可変表示装置１４等が配設されている。遊技盤５の裏面側に設けられた特定部材の視認の可否を切換可能とする遮蔽盤を設ける。遮蔽盤６０の開閉により、特定部材の視認の可否が切り換えられる。【選択図】　　　　　図１
2004081583.tif 000002
【特許請求の範囲】
【請求項１】
遊技領域を具備する遊技盤を有してなる遊技機において、
遊技盤の裏面側に設けられた特定部材の視認の可否を切換可能とする遮蔽手段を設けたことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、パチンコ機等の遊技機は、遊技領域を具備する遊技盤を有している。遊技盤の裏面側には、遊技球の払出等に関連する払出機構、入賞口に入賞した遊技球を案内させるための案内機構等の各種機構、各種部材が設けられている。
【０００３】
かかる遊技機にあっては、例えば保守点検等のために前面側を開放状態としたり、遊技盤の裏面側を視認可能な状態としたりすることがある。ここで、後者のような場合には、遊技場関係者のみならず、遊技者等にとっても遊技盤の裏面側が視認可能な状態となる。
【０００４】
このとき、遊技盤の裏面側に設けられた各種機構、部材の配置或いは構成が遊技者に視認されることによって、各種不具合が生じてしまうおそれがある。
【０００５】
本発明は、上述した問題点を解決するためになされたものであり、遊技盤の裏面側に設けられた特定部材が遊技者に視認されてしまうことに起因する不具合を抑制することのできる遊技機を提供することを目的とする。
【０００６】
【課題を解決するための手段及び発明の効果】
上記の目的を達成するために有効な手段を以下に示す。なお、必要に応じてその作用等についても説明する。
【０００７】
手段１．遊技領域を具備する遊技盤を有してなる遊技機において、
遊技盤の裏面側に設けられた特定部材の視認の可否を切換可能とする遮蔽手段を設けたことを特徴とする遊技機。
【０００８】
手段１によれば、遮蔽手段により、遊技盤の裏面側に設けられた特定部材の視認の可否が切換えられる。このため、常には特定部材の視認を不能とすることにより、遊技盤の裏面側が遊技者に視認可能とされた場合であっても、特定部材が遊技者に視認されることによる不具合が防止される。このため、不正行為の防止が図られたり、外観品質の低下防止が図られたりする。一方で、保守点検等を要する場合には、前記遮蔽手段による遮蔽状態を解除することで、特定部材の視認が可能となり、当該保守点検等の支障となることがない。なお、「視認の可否を切換可能とする」とあるのを、「視認可能な状態と、視認困難な状態とを切換可能とする」としてもよい。
【０００９】
手段２．遊技領域を具備する遊技盤を有してなる遊技機において、
遊技盤の裏面側に設けられた特定部材の少なくとも一部を被覆可能な遮蔽手段を設け、該遮蔽手段の開閉によって特定部材の視認の可否を切換可能としたことを特徴とする遊技機。
【００１０】
手段２によれば、遮蔽手段の開閉によって、遊技盤の裏面側に設けられた特定部材の視認の可否が切換えられる。このため、常には遮蔽手段を閉状態とし、特定部材の視認を不能とすることで、遊技盤の裏面側が遊技者に視認可能とされた場合であっても、特定部材が遊技者に視認されることによる不具合が防止される。このため、不正行為の防止が図られたり、外観品質の低下防止が図られたりする。一方で、保守点検等を要する場合には、前記遮蔽手段を開状態とすることで、特定部材の視認が可能となり、当該保守点検等の支障となることがない。
【００１１】
手段３．前記遮蔽手段は、遊技盤の裏面側の一側において開閉可能に支持されていることを特徴とする手段１又は２に記載の遊技機。
【００１２】
手段３によれば、遮蔽手段の開閉が円滑に行われ、特定部材の視認の可否を切り換えるに際し、困難性を伴いにくくすることができる。
【００１３】
手段４．少なくとも前記遮蔽手段の支持側と反対側には、該遮蔽手段を閉鎖状態に係合保持可能な係合手段を設けたことを特徴とする手段３に記載の遊技機。
【００１４】
手段４によれば、遮蔽手段が不本意に開かれてしまうといった不測の事態が生じにくく、安定的に閉鎖状態を維持できる。
【００１５】
手段５．前記遮蔽手段の背面側の少なくとも一部を覆うようにして機構盤が開閉可能に設けられていることを特徴とする手段１乃至４のいずれかに記載の遊技機。
【００１６】
手段５によれば、機構盤の存在によって、偶発的に遮蔽手段が開かれてしまう等の不具合がより確実に防止される。
【００１７】
なお、「機構盤」には、可変表示装置の裏面側を保護するカバーが含まれていることとしてもよいし、少なくとも遊技球の払出機構が設けられていることとしてもよい。また、機構盤は、前記遮蔽手段とは反対側において開閉可能に支持されていることとしてもよい。
【００１８】
手段６．前記遮蔽手段は、制御基板を取付けるための取付盤をも兼用していることを特徴とする手段１乃至５のいずれかに記載の遊技機。
【００１９】
手段６によれば、遮蔽手段が取付盤としても機能し、遮蔽手段に制御基板が取付けられる。このため、メンテナンス等の作業が比較的容易に行われるのみならず、遮蔽手段に取付けられている制御基板を遮蔽手段ごと、場合によっては遊技盤ごと交換したりすることもできる。また、制御基板を取付けるにあたり、スペースの有効活用を図ることができる。
【００２０】
なお、遮蔽手段に取付けられる制御基板は、当該機種固有のものであることとしてもよい。前記制御基板には、主たる制御を司るための主基板が含まれていることとしてもよいし、発光制御を主として司るためのランプ制御基板が含まれていることとしてもよいし、音声制御を主として司るための音声制御基板が含まれていることとしてもよいし、主基板並びにランプ及び音声制御基板が含まれていることとしてもよい（手段７においても同様）。
【００２１】
手段７．前記遮蔽手段には、１又は２以上の制御基板が取り付けられていることを特徴とする手段１乃至６のいずれかに記載の遊技機。
【００２２】
手段８．前記特定部材は、前記遊技盤の裏面に固定された集合盤であることを特徴とする手段１乃至７のいずれかに記載の遊技機。
【００２３】
手段８によれば、遊技球の通過に起因した汚れが集合盤に堆積したとしても、当該集合盤が視認されないように構成されることで、外観品質の低下を抑制でき、遊技者が汚れを視認することによる嫌悪感を払拭することができる。
【００２４】
なお、前記「集合盤」に代えて「集合盤の下部であること」或いは「集合盤の下部全域であること」としてもよい。集合盤は上部よりも下部において比較的汚れがたまりやすい。この点上記構成とすることで、汚れがたまりやすい集合盤下部が視認されなくて済み、外観品質の低下や、遊技者にとっての嫌悪感等を払拭することができる。また、「集合盤に設けられた遊技球流路を含む領域であること」としてもよい。
【００２５】
手段９．前記特定部材は、前記遊技盤を連通する入賞口であることを特徴とする手段１乃至８のいずれかに記載の遊技機。
【００２６】
ここで、遊技盤裏面側において入賞口が視認されると、入賞口の構造（特に開閉構造）等が把握されてしまい、不正行為が行われやすくなってしまうおそれがある。この点、本手段によれば、裏面側から入賞口が視認されないので、不正行為が容易に行われてしまうといった事態を抑制でき、結果として効果的に不正行為を防止することができる。
【００２７】
なお、「前記入賞口は、遊技球が入球容易な開放状態と入球困難又は不能な閉鎖状態とに切換可能な可変入賞口であること」としてもよい。
【００２８】
手段１０．前記特定部材は、遊技者の利益に関連するアクチュエータであるこを特徴とする手段１乃至９のいずれかに記載の遊技機。
【００２９】
遊技者の利益に関連するアクチュエータが視認されると、そのアクチュエータの構造、配置等が把握されることに起因して治具等を用いた不正行為が行われやすくなってしまうおそれがある。この点、本手段によれば、アクチュエータが視認されないので、不正行為が容易に行われてしまうといった事態を抑制でき、結果として効果的に不正行為を防止することができる。
【００３０】
なお、「アクチュエータ」としては、可変入賞口用のソレノイド、回転体用のモータ等が挙げられる。
【００３１】
手段１１．前記特定部材は、遊技球の入賞を検知するための検知手段であることを特徴とする手段１乃至１０のいずれかに記載の遊技機。
【００３２】
ここで、遊技球の入賞を検知するための検知手段が視認されると、該検知手段の配置等が把握されることにより、電波ゴトと称される不正行為が行われわれやすくなってしまうおそれがある。この点、本手段によれば、検知手段が視認されないので、電波ゴト等の不正行為が容易に行われてしまうといった事態を抑制でき、結果として効果的に不正行為を防止することができる。
【００３３】
手段１２．前記特定部材は、遊技価値に関連する部材であるこを特徴とする手段１乃至１１のいずれかに記載の遊技機。
【００３４】
遊技価値に関連する部材が視認されると、その部材の構造、配置等が把握されることに起因して治具等を用いた不正行為が行われやすくなってしまうおそれがある。この点、本手段によれば、当該部材が視認されないので、不正行為が容易に行われてしまうといった事態を抑制でき、結果として効果的に不正行為を防止することができる。
【００３５】
手段１３．手段１乃至１２のいずれかにおいて、前記遊技機はパチンコ機であること。中でも、パチンコ機の基本構成としては、「操作ハンドルを備えておりそのハンドル操作に応じて遊技球を遊技盤面上に発射させ、遊技球が遊技盤を流下し、遊技盤に配設された特定の入球手段に入球することに基づいて、所定条件が成立した場合には特別遊技価値が付与されるもの」が挙げられる。
【００３６】
【発明の実施の形態】
以下、パチンコ遊技機（以下、単に「パチンコ機」という）の一実施の形態を、図面に基づいて詳細に説明する。
【００３７】
図１に示すように、パチンコ機１は、外枠２と、該外枠２の前部に設けられ外枠２の一側部にて開閉可能に支持された前面枠３とを備えている。
【００３８】
前面枠３の前面側にはガラス扉枠４が開閉自在に設けられている。前面枠３の後側（ガラス扉枠４の奥、外枠２の内側）には、遊技盤５が着脱可能に装着されている。
【００３９】
ガラス扉枠４の下部には、遊技球Ｂを貯留するための球受皿としての上皿６が一体的に設けられている。また、前面枠３の前面下部には、ほぼ中央部において球受皿としての下皿７が設けられている。下皿７の側方には、遊技球発射用ハンドル８が設けられている。ハンドル８は遊技球発射装置１０（図２参照）に連結されており、遊技者がハンドル８を回転させることにより、遊技球Ｂが遊技球発射装置１０から発射される。
【００４０】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４１】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４２】
前記可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４３】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４４】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、ランプ１８や風車等の各種部材（役物）が配設されている。
【００４５】
このように構成されたパチンコ機１は、遊技盤５の裏側において、各種の制御対象を制御する複数の制御基板を備えている。より詳しくは、図２に示すように、パチンコ機１は、主な制御基板として、払出制御基板３１、発射制御基板３２、主基板３３、表示制御基板３４、ランプ音声制御基板３５を備えている。払出制御基板３１は、払出ユニット８３を制御対象とし、普通入賞チャッカー１１、可変入賞装置１２、作動チャッカー１３に遊技球Ｂが入球することに基づく上皿６又は下皿７に対する所定数の景品球（遊技球Ｂ）の払い出し、及び貸球（遊技球Ｂ）の払い出しを制御する。
【００４６】
発射制御基板３２は、上述した遊技球発射装置１０を制御対象とし、遊技球発射用ハンドル８の回転操作に基づき遊技球Ｂの発射制御を司る。
【００４７】
表示制御基板３４は、上述した液晶表示部２０を制御対象とし、可変表示装置１４の下方に設けられた作動チャッカー１３への遊技球Ｂの入球があったときに、液晶表示部２０の図柄を、各図柄列毎にスクロール表示する。また、いわゆるリーチ状態発生時や大当たり状態発生時の演出表示なども行う。
【００４８】
ランプ音声制御基板３５は、遊技盤５等に取り付けられた各種ランプ（図１中のランプ１８など）を制御対象とし、遊技状態に合わせてこれらランプの点灯・消灯・点滅などを行う。また、音声出力機構を制御対象とし、遊技に伴う効果音や音声の出力制御を行う。なお、音声制御基板とランプ制御基板とを、別体として構成することとしてもよい。
【００４９】
そして、主基板３３は、上述した各種制御基板に対し、所定の指令（コマンド）を出力することにより、パチンコ遊技機１の全体の制御を司る。つまり、主基板３３は、払出制御基板３１、発射制御基板３２、表示制御基板３４、ランプ音声制御基板３５などを制御対象とする。なお、各制御基板３１〜３５は、制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む制御回路基板を有し、その制御回路基板をボックスに収納してなる制御基板ボックスによって構成されている。
【００５０】
次に、これら制御基板３１〜３５の取付位置をはじめとして、パチンコ機１の背面側の構成等について、図２を参照しつつ説明する。
【００５１】
前記前面枠３には、遊技盤５の背面側において、樹脂材料で形成され、前面枠３に開閉可能に支持された機構盤９０を備えている。機構盤９０は、上部機構盤９０Ａ及び下部機構盤９０Ｂからなり、それぞれが前面枠３の一側にて開閉可能に軸支されている。上部機構盤９０Ａには、タンク８１、タンクレール８２、払出ユニット８３、ケースレール８４、役物カバー８５などが取り付けられている。
【００５２】
タンク８１は、上部機構盤９０Ａの最上部に取り付けられており、払い出されるべき遊技球Ｂを貯留する。タンクレール８２は、タンク８１の下方に取り付けられ、長尺形状のレール本体が右側方向へ右下がりに延びており、ケースレール８４へ遊技球Ｂを整列状態で誘導するようになっている。払出ユニット８３は、遊技球Ｂの払い出しを行うための機構であり、ケースレール８４の下方に取り付けられ、賞球と貸球の払い出しを行う機構である。この払出ユニット８３へ遊技球Ｂを誘導するのが、ケースレール８４である。また、役物カバー８５は、タンクレール８２の下方に取り付けられる四角形状の樹脂製カバーであり、遊技盤５の背面側において可変表示装置１４や表示制御基板３４等を保護する。
【００５３】
また、下部機構盤９０Ｂには、払出制御基板３１、発射制御基板３２が取り付けられている。
【００５４】
さて、図３は、上部機構盤９０Ａを取り外した（省略した）状態を示すパチンコ機１の背面図であり、図４は、遊技盤５等を示す背面図である。
【００５５】
これらの図に示すように、前記表示制御基板３４は、可変表示装置１４の裏面側に取付けられている。また、その周囲を囲むようにして、遊技盤５の背面側には、合成樹脂製の集合盤５０が固定されている。集合盤５０には、各種中継基板が取着されているとともに、前記普通入賞チャッカー１１、可変入賞装置１２、作動チャッカー１３等に入賞した遊技球Ｂを集合案内させるべく遊技球流路が設けられている。
【００５６】
本実施の形態では、遊技盤５の背面側において、遮蔽手段を構成する略Ｌ字状の遮蔽盤６０が取付けられている。該遮蔽盤６０には、主基板３３及びランプ音声制御基板３５が取付固定されている。より詳しくは、遮蔽盤６０の上部には、上下方向に長いランプ音声制御基板３５が取付けられている。また、遮蔽盤６０の下部には、左右方向に長い主基板３３が取付けられている。遮蔽盤６０の縦方向の長さは、遊技盤５の縦方向の長さとほぼ同等となっている（横方向の長さも同等としてもよい）。
【００５７】
遮蔽盤６０は、着色の施された合成樹脂材料によって構成されている。また、遮蔽盤６０は、前記機構盤９０とは反対側の側部において、前記遊技盤５に対し開閉可能に軸支されている。より詳しくは、遮蔽盤６０は下部の一側においてヒンジ部６１（図５参照）を介して開閉可能となっている。また、ヒンジ部６１とは反対側の側部には、プッシュプル方式の係止手段６２（操作手段を押圧操作することで集合盤５０に設けられたボス部に係止され、引張操作することで係止状態が解除されるもの；勿論他の係止手段であってもよい）が設けられており、該係止手段６２により前記反対側の側部が閉状態で係止可能となっている。さらに、遮蔽盤６０の上部には、矩形状の係止孔６３が形成されている。これに対し、前記集合盤５０には、係止爪６４が前記係止孔６３に対向して延出形成されており、遮蔽板６０が閉じられることで、係止爪６４が係止孔６３に係止されるようになっている。
【００５８】
また、遮蔽盤６０の縁部には、リブが形成されており、該リブの存在により、遮蔽盤６０の閉状態にあっては、その奥側を隙間から視認することがより困難となっている。さらに、遮蔽盤６０は、可変表示装置１４（表示制御基板３４）を囲むようにして隙間がほぼ形成されないよう配設されている。これにより、隙間からの視認困難性が一層高められている。
【００５９】
なお、本実施の形態では、遮蔽盤６０に取付けられたランプ音声制御基板３５もまた、前記上部機構盤９０Ａの役物カバー８５にて被覆されている。
【００６０】
上記のように構成されてなる本実施の形態によれば、次のような作用効果が奏される。
【００６１】
すなわち、遮蔽盤６０の開閉によって、遊技盤５の裏面側に設けられた各種特定部材の視認の可否が切換えられる。ここで、本実施の形態における特定部材としては、集合盤５０、特に集合盤５０の下部がまず挙げられる。つまり、集合盤５０、特にその下部には、遊技球Ｂの通過に起因した汚れが堆積されやすい。特に本実施の形態では入賞口が遊技盤８の比較的下部にしか設けられていないので、集合盤５０の下部に汚れがより堆積しやすい。この点、本実施の形態によれば、集合盤５０下部に堆積したとしても、当該集合盤５０下部が常には視認されないように構成されることで、外観品質の低下を抑制でき、遊技者が汚れを視認することによる嫌悪感を払拭することができる。
【００６２】
また、別の特定部材としては、可変入賞装置１２の大入賞口等が挙げられる。遊技盤５の裏面側において大入賞口が視認されてしまうと、入賞口の構造（特に開閉構造）等が把握されてしまい、不正行為（例えば、下皿７から治具等を突っ込んで大入賞口を内側から開けて不正に賞球を得る等）が行われやすくなってしまうおそれがある。この点、本実施の形態によれば、常には遮蔽盤６０が閉鎖状態となっており、裏面側から大入賞口が視認されないので、不正行為が容易に行われてしまうといった事態を抑制でき、結果として効果的に不正行為を防止することができる。なお、普通入賞チャッカー１１、作動チャッカー１３等についても同様のことがいえる。
【００６３】
さらに、別の特定部材としては、遊技者の利益に関連するアクチュエータ（ここでは、大入賞口を開閉するソレノイド等）が挙げられる。遊技者の利益に関連するアクチュエータが視認されると、そのアクチュエータの構造、配置等が把握されることに起因して治具等を用いた不正行為が行われやすくなってしまうおそれがある。この点、本実施の形態によれば、遮蔽盤６０は常には閉鎖状態となっており、アクチュエータが視認されないので、不正行為が容易に行われてしまうといった事態を抑制でき、結果として効果的に不正行為を防止することができる。
【００６４】
併せて、別の特定部材としては、遊技球Ｂの入賞を検知するべく、前記普通入賞チャッカー１１、可変入賞装置１２、作動チャッカー１３に対応して設けられる検知手段としての検知スイッチが挙げられる。ここで、遊技球の入賞を検知するための検知スイッチが視認されると、該検知スイッチの配置等が把握されることにより、電波ゴトと称される不正行為が行われわれやすくなってしまうおそれがある。この点、本実施の形態によれば、遮蔽盤６０が常には閉鎖状態となっており、検知スイッチが視認されないので、電波ゴト等の不正行為が容易に行われてしまうといった事態を抑制でき、結果として効果的に不正行為を防止することができる。
【００６５】
このように、常には遮蔽盤６０を閉状態とし、特定部材の視認を不能とすることで、遊技盤５の裏面側が遊技者に視認可能とされた場合であっても、特定部材が遊技者に視認されることによる不具合が防止される。このため、上述したように不正行為の防止が図られたり、外観品質の低下防止が図られたりする。
【００６６】
一方で、保守点検等を要する場合には、図５に示すように、前記係止手段６２の係止状態を解除し、係止爪６４及び係止孔６３の係止状態を解除した上で遮蔽盤６０を容易に開状態とすることができる。これにより、特定部材の視認が可能となり、遊技場関係者等による保守点検等の支障となることがない。
【００６７】
さらにまた、本実施の形態では、遮蔽盤６０は、主基板３３及びランプ音声制御基板３５を取付けるための取付盤をも兼用している。換言すれば、遮蔽盤６０に上記複数の基板３３，３５が取付けられている。このため、メンテナンス等の作業性向上が図られるのみならず、遮蔽盤６０に取付けられている各基板３３，３５を遮蔽盤６０ごと、場合によっては遊技盤５ごと交換したりすることもできる。結果として、機種変更等に伴う経済的不利益を抑制することができる。
【００６８】
しかも、遮蔽盤６０に取付けられる制御基板３３，３５は、当該機種固有のものであるため、上記作用効果がより確実に奏されることとなる。
【００６９】
なお、実施の形態に何等限定されるものではなく、主旨を逸脱しない範囲において種々なる形態で実施し得るものである。例えば次のように実施してもよい。
【００７０】
（ａ）上記実施の形態では、遮蔽盤６０に主基板３３及びランプ音声制御基板３５を取付けることとしているが、いずれか一方のみを取付けることとしてもよいし、他の制御基板を取付けることとしても差し支えない。また、基板を取付けなくてもよい。
【００７１】
（ｂ）遮蔽盤６０の形状としては、上記実施の形態のようなＬ字状に限定されるものではなく、矩形状としてもよいし、ロ字状としてもよい。
【００７２】
（ｃ）上記実施の形態では、機構盤９０を上部機構盤９０Ａ及び下部機構盤９０Ｂにより構成しているが、必ずしも分離しなくてもよい。
【００７３】
（ｄ）上記実施の形態では、上部機構盤９０Ａ（約物カバー８５）により遮蔽盤６０の一部（ランプ音声制御基板３５）が覆われる構成となっているが、必ずしも覆われる構成となっていなくてもよい。
【００７４】
（ｅ）上記実施の形態では遮蔽盤６０は機構盤９０と反対側において軸支されている構成が採用されているが、同じ側で軸支されていてもよい。
【００７５】
（ｆ）他の係止手段（例えばマグネット）等を採用してもよい。
【００７６】
（ｇ）上記実施の形態の特定部材のうち、一部を省略してもよい。
【００７７】
（ｈ）集合盤５０の全てを遮蔽盤６０により遮蔽可能な構成が採用されてもよい。
【００７８】
（ｉ）上記実施の形態では特に言及していないが、特定部材を遮蔽するという観点からは、遮蔽盤６０は不透明素材により構成されているのが望ましい。また、他の盤との識別容易化を図るべく、所定の着色を施すこととしてもよい。
【００７９】
（ｊ）上記実施の形態とは異なるタイプのパチンコ機にも適用してもよい。従って、可変表示装置１４のないパチンコ機にも応用できる。また、本発明は、パチンコ機以外にも雀球、アレンジボール等の遊技盤を有する遊技機にも応用可能である。
【００８０】
（ｋ）遮蔽盤６０のサイズについても特に限定されるものではない。例えば、集合盤５０の下部全域を覆う構成としてもよいし、また、集合盤５０に設けられた遊技球流路を覆うような構成としてもよい。
【図面の簡単な説明】
【図１】一実施の形態におけるパチンコ機を示す正面図である。
【図２】パチンコ機を示す背面図である。
【図３】上部機構盤を省略した状態を示すパチンコ機の背面図である。
【図４】集合盤、遮蔽盤の取着されてなる遊技盤を示す背面図である。
【図５】遮蔽盤を開放した状態を示す遊技盤等の斜視図である。
【符号の説明】
１…遊技機としてのパチンコ機、５…遊技盤、１２…可変入賞装置、１３…作動チャッカー、１４…可変表示装置、２０…液晶表示部、３１…払出制御基板、３２…発射制御基板、３３…主基板、３４…表示制御基板、３５…ランプ音声制御基板、５０…集合盤、６０…遮蔽手段を構成する遮蔽盤、６１…ヒンジ部、６２…係止手段、６３…係止孔、６４…係止爪、９０…機構盤、９０Ａ…上部機構盤。
【図１】
2004081583.tif 000003
【図２】
2004081583.tif 000004
【図３】
2004081583.tif 000005
【図４】
2004081583.tif 000006
【図５】
2004081583.tif 000007